(57)【要約】【課題】大気圧による間隙保持部材や背面基板もしくは前面基板の破損を抑制する。【解決手段】陰極配線５と板部材制御電極６を有する背面基板１と前面基板の間に植立して両基板の間隔を保持する多数の間隙保持部材９の上記背面基板１および／または前面基板とが当接する部分に当該背面基板１と前面基板から印加される大気圧を略均等に分散させるための高弾性を有する緩衝材と接着材からなる緩衝固着材１０を介挿し、熱処理と加圧工程により背面基板１と前面基板の間に間隙保持部材９を固定した。【選択図】　　　　図４
2004047143.tif 000002
【特許請求の範囲】
【請求項１】
陽極及び蛍光体を内面に有する前面基板と、
一方向に延在し前記一方向に交差する他方向に並設され、かつ電子源を有する複数本の陰極配線と、表示領域内で前記陰極配線と非接触で交差し、かつ前記他方向に延在し前記一方向に並設されて前記電子源からの電子を前記前面基板側に通過させる電子通過孔を有する複数本の帯状電極素子を平行配列した板部材制御電極を内面に有して前記前面基板と所定の間隔をもって対向する背面基板と、
前記前面基板と背面基板の間に植立挟持されて当該前面基板と背面基板を所定の間隔に保持する間隔保持部材とを具備し、
前記前面基板と背面基板の少なくとも一方と前記間隔保持部材との間に組立て時に高弾性を有し焼成工程で消失する高弾性材に接着剤を混合した緩衝固着材を設けたことを特徴とする表示装置。
【請求項２】
前記前面基板と前記背面基板の間で前記表示領域を周回して介挿され、前記所定の間隙を保持するための外枠を有すると共に、
前記表示領域外かつ前記外枠の内側において前記背面基板に前記板部材制御電極を構成する帯状電極素子の両端領域を固定する電極押さえ部材を備えたことを特徴とする請求項１に記載の表示装置。
【請求項３】
前記高弾性材は低温分解性発泡樹脂であることを特徴とする請求項１または２に記載の表示装置。
【請求項４】
前記低温分解性発泡樹脂はウレタンであることを特徴とする請求項３に記載の表示装置。
【請求項５】
陽極及び蛍光体を内面に有する前面基板と、
一方向に延在し前記一方向に交差する他方向に並設され、かつ電子源を有する複数本の陰極配線と、表示領域内で前記陰極配線と非接触で交差し、かつ前記他方向に延在し前記一方向に並設されて前記電子源からの電子を前記前面基板側に通過させる電子通過孔を有する複数本の帯状電極素子を平行配列した板部材制御電極を内面に有して前記前面基板と所定の間隔をもって対向する背面基板と、
前記前面基板と背面基板の間に植立挟持されて当該前面基板と背面基板を所定の間隔に保持する間隔保持部材とを具備し、
前記前面基板と背面基板の少なくとも一方と前記間隔保持部材との間に高弾性を有し焼成工程後に補強材として存在する高弾性材に接着剤を混合した緩衝固着材を設けたことを特徴とする表示装置。
【請求項６】
前記前面基板と前記背面基板の間で前記表示領域を周回して介挿され、前記所定の間隙を保持するための外枠を有すると共に、
前記表示領域外かつ前記外枠の内側において前記背面基板に前記板部材制御電極を構成する帯状電極素子の両端領域を固定する電極押さえ部材を備えたことを特徴とする請求項５に記載の表示装置。
【請求項７】
前記高弾性材は耐熱繊維であることを特徴とする請求項５または６に記載の表示装置。
【請求項８】
前記耐熱繊維はアラミド系繊維であることを特徴とする請求項７に記載の表示装置。
【請求項９】
前記接着剤は低融点ガラスであることを特徴とする請求項１乃至８の何れかに記載の表示装置。
【発明の詳細な説明】
【０００１】
【発明の属する技術分野】
本発明は、前面基板と背面基板の間に形成される真空中への電子放出を利用した表示装置に係り、特に、電子源を有する陰極配線および電子源からの電子の引き出し量（放出量）を制御する制御電極を高精度に設置して前面基板と背面基板の間を真空に保って安定した表示特性を実現した表示装置に関する。
【０００２】
【従来の技術】
高輝度、高精細に優れたディスプレイデバイスとして従来からカラー陰極線管が広く用いられている。しかし、近年の情報処理装置やテレビ放送の高画質化に伴い、高輝度、高精細の特性をもつと共に軽量、省スペースの平板状ディスプレイ（パネルディスプレイ）の要求が高まっている。
【０００３】
その典型例として液晶表示装置、プラズマ表示装置などが実用化されている。また、特に、高輝度化が可能なものとして、電子源から真空への電子放出を利用した表示装置（以下、電子放出型表示装置、または電界放出型表示装置と呼ばれる）や、低消費電力を特徴とする有機ＥＬディスプレイなど、種々の型式のパネル型表示装置の実用化も近い。
【０００４】
このようなパネル型の表示装置のうち、上記電界放出型表示装置には、Ｃ．Ａ．Ｓｐｉｎｄｔらにより発案された電子放出構造をもつもの、メタル−インシュレータ−メタル（ＭＩＭ）型の電子放出構造をもつもの、量子論的トンネル効果による電子放出現象を利用する電子放出構造（表面伝導型電子源とも呼ばれる）をもつもの、さらにはダイアモンド膜やグラファイト膜、カーボンナノチューブの持つ電子放出現象を利用するもの、等が知られている。
【０００５】
電界放出型の表示装置は、内面に電界放出型の電子源を有する陰極配線と制御電極を形成した背面基板と、この背面基板と対向する内面に陽極と蛍光体を形成した前面基板を有し、両者の内周縁に封止枠を介挿して貼り合わせ、その内部を真空にして構成される。また、背面基板と前面基板との間の間隔を所定値に保持するために、当該背面パネルと前面パネルの間に間隔保持部材を設けているものがある。
【０００６】
背面基板と前面基板との間の間隔を保持するための間隔保持部材はガラスやセラミックスの薄板で形成され、画素を避けた位置に植立される。なお、このような間隔保持部材を設けた表示装置の従来例としては、特開平７−３２６３０６号公報、特開２００１−３３８５２８号公報を挙げることができる。
【０００７】
【発明が解決しようとする課題】
図１は電界放出型の表示装置の概略構成の模式的説明図である。図１の（ａ）は前面基板側から見た平面図、同（ｂ）は同（ａ）を矢印Ａ方向から見た側面図である。図１中、参照符号１は背面基板、２は前面基板、３は外枠、４は排気管（封止した状態）を示す。背面基板１はガラスあるいはアルミナ等のセラミックスを好適とする絶縁基板の上に電子源をもつ複数本の陰極配線が一方向（ｘ方向）に延在し他方向（ｙ方向）に並設されている。この陰極配線の上には、当該陰極配線と絶縁されてｙ方向に延在しｘ方向に並設した複数本の制御電極を有する。そして、背面基板１と前面基板２の対向する間隙の外周に外枠３が介挿され、この外枠３で囲まれた内部を真空に封止されている。前面板２は背面板１に対してｚ方向に積み重られている。背面基板１と前面基板２を外枠３で貼り合わせた後、排気管４から排気し、所定の真空度に封止される。
【０００８】
図２は図１に示した表示装置を構成する背面板の構成例の模式的説明図である。図２の（ａ）はｚ方向上側から見た平面図、同（ｂ）は同（ａ）を矢印Ｂ方向から見た側面図を示す。参照符号５は陰極配線、６は板部材制御電極、７は電極押さえ部材、８は排気孔、図１と同一参照符号は同一機能部分を示す。なお、図２における排気管は封止前の状態で示す。板部材制御電極６は電子通過孔を有する多数の帯状電極素子を平行に配列して構成されるものであり、本発明に至る開発過程で本発明者等が提案したものであって、公知のものではない。
【０００９】
背面基板１の内面には陰極配線５が敷設されている。陰極配線５は背面基板１上でｘ方向に延在し、ｘ方向に交差するｙ方向に多数本並設される。陰極配線５は銀などを含む導電ペーストの印刷等でパターニングされる。陰極配線５の端部は陰極配線引出し線５ａとして外枠３の外側に引き出されている。陰極配線５上には、メタル−インシュレータ−メタル（ＭＩＭ）型の電子放出素子、量子論的トンネル効果による電子放出現象を利用する電子放出構造（表面伝導型電子源とも呼ばれる）素子、ダイアモンド膜やグラファイト膜、あるいはカーボンナノチューブ等の電子源（図示せず）を有する。
【００１０】
図２における板部材制御電極６は別部品として別の工程で製作され、電子源を有する陰極配線５の上方（前面基板側）に近接して設置され、表示領域の外側かつ外枠３の内側に設けたガラス材などの絶縁体からなる電極押さえ部材７等で背面基板１に固定される。板部材制御電極６には電極押さえ部材７の近傍あるいは外枠３の近傍で引出し線が接続されて表示装置の外縁に引き出されている（図示せず）。そして、陰極配線５と板部材制御電極６との交差部にマトリクス状に画素が形成され、このマトリクス配列された画素で上記の表示領域が形成される。なお、外枠３に電極押さえ部材７の機能を持たせることもできる。
【００１１】
そして、陰極配線５と板部材制御電極６との間の電位差で陰極配線５に有する電子源からの電子の放出量（オン・オフを含む）が制御される。一方、図１に示した前面基板２はガラス等の光透過性を有する絶縁材料で形成され、その内面に陽極と蛍光体とを有する。蛍光体は陰極配線５と板部材制御電極６の交差部に形成される画素に対応して形成される。また、蛍光体の回りに遮光層（ブラックマトリクス）を有する。
【００１２】
外枠３で封止された前面基板２と背面基板１の内部は排気孔８から排気管４を通して真空引きされ、例えば１０−３〜１０−５Ｐａの真空に排気される。板部材制御電極６の陰極配線５との各交差部には図示しない電子通過孔を有し、陰極配線５に有する電子源から放出される電子を前面基板側（陽極側）に通過させる。板部材制御電極６は、陰極配線５を形成した背面基板１上にあって、当該陰極配線２に対して表示領域の全域にわたって所定の間隔をもって設置する必要がある。
【００１３】
間隙保持部材９は通常、多数の薄いガラス板等からなり、板部材制御電極６の間に垂直（ｚ方向）に、すなわち背面基板と前面基板の間に仕切り壁を形成するように設置されるものであるため、その組立て工程は繊細、かつ高度の熟練を要する。また、この間隙保持部材は前面基板と背面基板からの真空圧に対抗する応力がかかるため、複数の間隙保持部材が当該応力を均一に受けるように設置しないと、間隙保持部材の一部に応力集中が起こり、間隙保持部材自身あるいは前面基板や背面基板の破損を招く。
【００１４】
その対策の一つである前記した特開平７−３２６３０６号公報に開示の発明では、間隙保持部材と基板の間に弾性材として銀を主成分とするペーストを塗布し、焼成したもの、あるいは低ヤング率の無機接着剤（実施例では東亜合成化学社製アロンセラミックス）を用いている。また、前記の特開２００１−３３８５２８号公報でも間隙保持部材と基板の間に導電性フリットを介在させている。しかし、このようなものの弾性材としてのヤング率は間隙保持部材を構成するガラス板やセラミックス板に比べて格段に大きい（柔らかい）性質を有するものではないため、応力分散効果に限界がある。特に、陰極配線や制御電極を有する背面基板に導電性ペーストを用いた場合の絶縁性の問題もある。
【００１５】
また、間隙保持部材の設置は背面基板と前面基板の間に高い精度で均等に配置する必要があると共に、前記した大気圧による応力が多数の間隙保持部材に対して均等にかかるようにする必要がある。しかし、上記従来の技術は背面基板と前面基板の間に間隙保持部材を植立させると言う観点のみが考慮されたものであり、背面基板と前面基板の間に制御電極を配置した表示装置における間隙保持部材の設置を考慮したものではない。
【００１６】
本発明の目的は、背面基板と前面基板の間に制御電極を配置した表示装置に多数の間隙保持部材を高精度で設置し、かつ大気圧による応力が多数の間隙保持部材に対して略均等にかかるようにして当該間隙保持部材や背面基板もしくは前面基板の破損を抑制して高い信頼性をもつ表示装置を提供することにある。
【００１７】
【課題を解決するための手段】
上記目的を達成するため、本発明は、背面基板と前面基板の間に植立して両基板の間隔を保持する多数の間隙保持部材の上記背面基板および／または前面基板とが当接する部分に当該背面基板と前面基板から印加される大気圧を略均等に分散させるための高弾性を有する緩衝材と接着材からなる緩衝固着材を介挿し、熱処理と加圧工程により背面基板と前面基板の間に間隙保持部材を固定した。
【００１８】
本発明の構成により、上記熱処理と加圧の工程で緩衝材が多数の間隙保持部材に圧力が略均等にかかるように固定される。その結果、間隙保持部材や背面基板もしくは前面基板の破損が抑制される。本発明の代表的な構成を記述すれば次のとおりである。
【００１９】
（１）、陽極及び蛍光体を内面に有する前面基板と、
一方向に延在し前記一方向に交差する他方向に並設され、かつ電子源を有する複数本の陰極配線と、表示領域内で前記陰極配線と非接触で交差し、かつ前記他方向に延在し前記一方向に並設されて前記電子源からの電子を前記前面基板側に通過させる電子通過孔を有する複数本の帯状電極素子を平行配列した板部材制御電極を内面に有して前記前面基板と所定の間隔をもって対向する背面基板と、
前記前面基板と背面基板の間に植立挟持されて当該前面基板と背面基板を所定の間隔に保持する間隔保持部材とを具備し、
前記前面基板と背面基板の少なくとも一方と前記間隔保持部材との間に組立て時に高弾性を有し焼成工程で消失する高弾性材に接着剤を混合した緩衝固着材を設けた。
【００２０】
（２）、（１）において、前記前面基板と前記背面基板の間で前記表示領域を周回して介挿され、前記所定の間隙を保持するための外枠を有すると共に、
前記表示領域外かつ前記外枠の内側において前記背面基板に前記板部材制御電極を構成する帯状電極素子の両端領域を固定する電極押さえ部材を備えた。
【００２１】
（３）、（１）または（２）において、前記高弾性材として低温分解性発泡樹脂を用いる。
【００２２】
（４）、（３）において、前記低温分解性発泡樹脂としてウレタンを用いる。
【００２３】
（５）、陽極及び蛍光体を内面に有する前面基板と、
一方向に延在し前記一方向に交差する他方向に並設され、かつ電子源を有する複数本の陰極配線と、表示領域内で前記陰極配線と非接触で交差し、かつ前記他方向に延在し前記一方向に並設されて前記電子源からの電子を前記前面基板側に通過させる電子通過孔を有する複数本の帯状電極素子を平行配列した板部材制御電極を内面に有して前記前面基板と所定の間隔をもって対向する背面基板と、
前記前面基板と背面基板の間に植立挟持されて当該前面基板と背面基板を所定の間隔に保持する間隔保持部材とを具備し、
前記前面基板と背面基板の少なくとも一方と前記間隔保持部材との間に高弾性を有し焼成工程後に補強材として存在する高弾性材に接着剤を混合した緩衝固着材を設けた。
【００２４】
（６）、（５）において、前記前面基板と前記背面基板の間で前記表示領域を周回して介挿され、前記所定の間隙を保持するための外枠を有すると共に、
前記表示領域外かつ前記外枠の内側において前記背面基板に前記板部材制御電極を構成する帯状電極素子の両端領域を固定する電極押さえ部材を備えた。
【００２５】
（７）、（５）または（６）において、前記高弾性材として耐熱繊維を用いた。
【００２６】
（８）、（７）において、前記耐熱繊維としてアラミド系繊維を用いた。
【００２７】
（９）、（１）乃至（８）の何れかにおいて、前記接着剤として低融点ガラスを用いた。
【００２８】
上記の各構成により、背面基板と前面基板の間に植立した多数の間隙保持部材に対して印加される大気圧が略均一になり、背面基板や前面基板あるいは間隙保持部材の破損が回避される。なお、上記高弾性材としては、この他に発泡ポリエチレンなどのプラスチック材、あるいはアセテート繊維などを用いることができる。
【００２９】
【発明の実施の形態】
以下、本発明による表示装置の実施の形態について、実施例の図面を参照して詳細に説明する。
【００３０】
「実施例１」
図３は本発明による表示装置の第１実施例の説明図である。図３は間隙保持部材の設置構造の模式的に説明するもので、同図（ａ）は前面基板を取り去って示す背面基板の要部平面図、同図（ｂ）は同図（ａ）の矢印Ｃ方向からみた側面図である。図中、参照符号９は間隙保持部材、図２と同一参照符号は同一機能部分に対応する。間隙保持部材９は板部材制御電極６の間に設置されている。
【００３１】
また、図４は図３（ｂ）のＤ部分の拡大図である。図４において、参照符号１０は緩衝固着材であり、接着剤としての低融点ガラスに高弾性を有する低温分解性発泡樹脂としてウレタン樹脂を混合したものである。ウレタン樹脂は３５０°Ｃ程度の温度で消失する性質を有する。緩衝固着材１０は背面基板１に形成されている陰極配線５の上、かつ板部材制御電極６に沿って、その間に塗布される。この上に後述する治具と同様の治具を用いて間隙保持部材９の一端を植立させる。本実施例では、３個の単位画素に相当する３本の板部材制御電極６毎に設置している。この３個の単位画素はカラー表示の１画素であるＲ，Ｇ，Ｂに相当する。しかし、間隙保持部材９の設置箇所はこれに限らない。
【００３２】
図示しないが、間隙保持部材９の他端は前面基板に当接している。間隙保持部材９の他端はフリットガラス等の接着材でのみ固定してもよいが、前面基板の間にも同様の緩衝固着材１０を介在させてもよいことは言うまでもない。
【００３３】
間隙保持部材９は背面基板１側に緩衝固着材１０を塗布した状態で当該緩衝固着材１０を介して背面基板１と接合させるので、間隙保持部材９に接着剤を直接塗布するものとは異なり、その塗布量を均等化することができる。したがって、多数の間隙保持部材９は等量かつ全面で緩衝固着材１０を介して仮固定されて植立される。この状態で仮焼成してもよい。
【００３４】
図５は間隙保持部材の組立て治具の模式的説明図である。また、図６は図５のＤ−Ｄ’線に沿った断面図である。図５、図６において、参照符号１１は下側治具、１１ａは突出部、１２は上側治具、１２ａは段差部、前記の各図と同一参照符号は同一機能部分に対応する。なお、図５と図６では背面基板１の詳細構成は省略した。板部材制御電極マスター板６０は実装置の板部材制御電極でもよいが、この板部材制御電極マスター板６０は板部材制御電極６を製作するホトマスクを用いて製作する。
【００３５】
図７は図５の組立て治具に有するスリットの形状例の模式的説明図、図８は図７のスリットに間隙保持部材を所期位置合わせする状態を示す模式図である。本発明における組立て治具を構成する下側治具１１には、薄い間隙保持部材９を容易に挿入でき、かつ垂直配置できるように上部が広がったスリット１１ｂが所要の間隔で形成されている。このスリット１１ｂは図７の（ａ）（ｂ）（ｃ）に示したような平面形状を有する。すなわち、スリット１１ｂの端部に広い開口部１１ｂ’を有し、間隙保持部材９を下側治具１１のスリット１１ｂに挿入する場合、図８に示したように、最初に当該間隙保持部材９の角を広い開口部１１ｂ’に合わせて挿入し、次に矢印のように全体をスリット１１ｂに挿入する。
【００３６】
このようなスリット形状とすることにより、下側治具１１のスリット１１ｂに間隙保持部材９を容易に挿入することができる。なお、スリット１１ｂに形成する広い開口部１１ｂ’は、図７に示したように当該スリット１１ｂの端部に限るものではなく、当該スリット１１ｂの適宜の中間部に形成してもよい。
【００３７】
図５に戻って、下側治具１１の突出部１１ａに板部材制御電極マスター板６０を載置し、さらにその上に段差１２ａを有する上側治具１２を載せて板部材制御電極マスター板６０を保持する。板部材制御電極マスター板６０の周囲は枠体で固定されている。そして、板部材制御電極マスター板６０には実装置の帯状電極素子の間の間隙に相当する多数の間隙６０ａを有する。この間隙６０ａと下側治具１１のスリット１１ｂとはｚ方向に整列関係にある。間隙保持部材９を仮固定した背面基板１を上側治具１２の段差１２ａに載置する。又は、下記のようにして間隙保持部材９を整列させた後に背面板１を上側治具１２の段差１２ａ上で位置合わせして重ねることも可能である。
【００３８】
このとき、間隙保持部材９は板部材制御電極マスター６０の間隙６０ａを通って図８で説明した態様で下側治具１１のスリット１１ｂに挿入される。また、板部材制御電極マスター板６０の間隙６０ａの間隙保持部材９の挿入側を若干広い形状としておくことで間隙保持部材９の挿入を容易にすることができる。
【００３９】
板部材制御電極マスター板６０の間隙６０ａから下側治具１１のスリット１１ｂ内に突出する間隙保持部材９の先端部分の長さは、作業性を考慮すると当該間隙保持部材９の高さの１／４乃至１／３程度とすることが望ましい。この種の電界放出型表示装置では、３Ｖ／μｍ程度の電界強度で電子を放出させているので、板部材制御電極６と前面基板に有する陽極との間に３ｍｍ程度の間隔があれば約１０ｋＶの高圧を印加することができる。したがって、上記の突出量は１ｍｍ弱である。
【００４０】
図６に示したように背面基板１を治具にセットし、背面基板１の上から前面加圧しつつ加熱する。この加圧・加熱処理で緩衝固着材１０に有するウレタン樹脂の緩衝作用で複数の間隙保持部材９には均等に圧力が印加され、同緩衝固着材１０に有するフリットガラスの溶融と固化で間隙保持部材９は背面基板１に固定される。同時にウレタン樹脂は消失する。フリットガラスは３５０°付近から徐々に軟化を始めるので、ウレタン樹脂が分解して弾力性が消失するときには、粘稠なフリットガラスが間隙保持部材９と背面基板１との間でクッション材の役割を果たす。さらに、４５０°で３０分程度の加熱後、降温してフリットガラスを固化する。その後、治具から間隙保持部材９の一端を固定した背面基板１を取り外す。
【００４１】
図９は間隙保持部材を固定した背面基板の構成を説明する模式図であり、同図（ａ）は間隙保持部材を平面から見た図、（ｂ）は（ａ）を矢印Ｅ方向から見た図、（ｃ）は（ａ）を矢印Ｆ方向から見た図である。焼成前の緩衝固着材１０は約１ｍｍ程度の厚さを有するが、図９に示した固化後の状態では０．１ｍｍ程度の厚さとなる。緩衝固着材１０を背面基板１側に塗布して、その上に間隙保持部材９を載せて固定する場合、緩衝固着材１０の塗布面積を間隙保持部材９の断面積より広くしておくことが望ましい。
【００４２】
図１０は本発明の第１実施例における前面基板の構成例の模式的説明図である。図１０の（ａ）は平面図、同（ｂ）は（ａ）のＧ−Ｇ’線に沿った断面図を示す。また、図１１は背面基板に前面基板を組み込んで一体化した表示装置の要部断面図、図１２は図１１の矢印Ｈ部分の拡大図である。図１１および図１２中、参照符号２は前面基板、１３は陽極、１４は蛍光体、１５は遮光膜（ブラックマトリクス）である。蛍光体１４は赤（Ｒ）、緑（Ｇ）、青（Ｂ）の配列で１画素を構成する。各色の間はブラックマトリクス１５で区画されている。本実施例では、１画素（Ｒ，Ｇ，Ｂ）毎に間隙保持部材を設置するための緩衝固着材１０を塗布してある。
【００４３】
例えば、前面基板２に有する蛍光体１４の１画素（ＲＧＢ）が約１ｍｍ程度の場合、各色の蛍光体（蛍光体素子）の間は０．１ｍｍ程度の間隙を持たせることができる。この間隙に５０μｍ程度の厚さの間隙保持部材９を設置するものとすると、間隙保持部材９が緩衝固着剤１０の塗布領域から完全に外れないように１０乃至１５μｍ程度の裕度をみて、緩衝固着剤１０の塗布幅を７０乃至８０μｍとするのが望ましい。また、緩衝固着剤１０の塗布の長さ方向は、その合わせ裕度を各５ｍｍとして＋１０ｍｍ程度とするのが望ましい。
【００４４】
図９に示した間隙保持部材を固定した背面基板１に図１０の前面基板２を外枠３を介して貼り合わせる。外枠３と背面基板１および前面基板２とはフリットガラス等の接着剤３ａで接着する。このとき、図１０に示した前面基板２側に塗布した緩衝固着材１０に図９の背面基板１に有する間隙保持部材９の他端を位置合わせする。前面基板２の蛍光体の平均粒径は２乃至５μｍ程度、膜厚は１０μｍ程度である。この上を覆って形成される陽極１３は例えばアルミニウム薄膜（所謂、メタルバック）である。陽極１３の膜厚は、陽極電圧が１０ｋＶ程度の場合は７０ｎｍ乃至１００ｎｍ程度である。
【００４５】
図１１は背面基板と前面基板を外枠で貼り合わせた表示装置の要部を示す模式的断面図である。また、図１２は図１１の矢印Ｈの部分の拡大図である。間隙保持部材９の一端は背面基板１の隣接する板部材制御電極６の間で陰極配線５上に緩衝固着材１０を介して植立し、その他端は前面基板２に有する蛍光体１４の間にあるブラックマトリクス１５の位置で陽極１３上に有する緩衝固着材１０で保持されている。この構成例では、１カラー画素（Ｒ，Ｇ，Ｂ）の組み毎に間隙保持部材９が設置されている。間隙保持部材９の設置数は、その強度に基づいて計算され、例えば１００μｍ幅程度のガラスを用いる場合は３５ｍｍ間隔程度、５０μｍ幅程度のガラスを用いる場合は１６ｍｍ間隔程度で配置すればよい。
【００４６】
この状態で背面基板１と前面基板２が対向する方向に加圧しながら加熱し、降温することにより緩衝固着材１０が間隙保持部材９を両基板の間で均一な応力がかかるように固定する。その後、排気工程、エージング工程を経て表示装置として完成される。本実施例により、背面基板１と前面基板２の間に板部材制御電極６を配置した表示装置に多数の間隙保持部材９を高精度で設置できる。また大気圧による応力が多数の間隙保持部材に対して均等にかかり、間隙保持部材や背面基板もしくは前面基板の破損が抑制されて高い信頼性をもつ表示装置を得ることができる。
【００４７】
「実施例２」
上記第１実施例では、緩衝固着材１０として組立て時に高弾性を有し焼成工程で消失するウレタン樹脂等の発泡性樹脂からなる高弾性材に接着剤を混合したものを使用した。このような焼成工程で消失する発泡性樹脂に代えて、短時間の高温加熱では消失しない耐熱性のアラミド系樹脂繊維等の弾性材に接着剤を混合した緩衝固着材を用いるのが本発明の第２実施例である。
【００４８】
耐熱性のアラミド系樹脂の繊維（商品名：ケブラー等）を弾性材として用いる場合は、間隙保持部材９と背面基板１および／または前面基板２との間にアラミド系樹脂繊維のシートを敷き、その周囲および上方に低融点のフリットガラス等の接着剤を塗布する。あるいは、この接着剤を滲み込ませたアラミド系樹脂繊維のシートを間隙保持部材９と背面基板１および／または前面基板２との間に介挿する。以降の加圧と熱処理は前記と同様である。熱処理によりアラミド系樹脂繊維は固定部分で補強材として残る。
【００４９】
本実施例によっても、背面基板１と前面基板２の間に板部材制御電極６を配置した表示装置に多数の間隙保持部材９を高精度で設置できる。また大気圧による応力が多数の間隙保持部材に対して均等にかかり、間隙保持部材や背面基板もしくは前面基板の破損が抑制されて高い信頼性をもつ表示装置を得ることができる。
【００５０】
「実施例３」
図１３は本発明による表示装置の第３実施例の説明図である。図１３は間隙保持部材の設置構造の模式的に説明するもので、同図（ａ）は前面基板を取り去って示す背面基板の要部平面図、同図（ｂ）は同図（ａ）のＩ−Ｉ’線の沿った断面図である。また、図１４は図１３に示した背面基板と間隙保持部材の植立構造の詳細説明図、図１５は図１４の矢印Ｋで示した部分の拡大図である。
【００５１】
図中、６ｄは電子通過孔、前記実施例と同じ参照符号は同一機能部分に対応する。本実施例では、間隙保持部材９は板部材制御電極６の上を横断して陰極配線５の間に対応する位置に設置されている。板部材制御電極６を横断して間隙保持部材９を設置することにより、板部材制御電極６を構成する各帯状電極素子の間隔を強固に保持できるため、板部材制御電極６の位置変動や捩じれ等の変形発生が抑制される。本実施例では、緩衝固着材１０として前記第１実施例と同様に、組立て時に高い弾性を有し焼成工程で消失するウレタン樹脂等の発泡性樹脂からなる高弾性材に接着剤を混合したものを使用した。
【００５２】
また、図１４および図１５に示したように、板部材制御電極６の間隙保持部材９と接する部分は当該板部材制御電極６に画素毎に有する電子通過孔６ｄ（１または複数個）の隣接間で、かつ板部材制御電極が背面基板２に直接または絶縁層を介して接する部分とすることで板部材制御電極６を強固に押圧する構成とすることが望ましい。
【００５３】
本実施例の表示装置に用いる板部材制御電極９は、陰極配線５と交差する部分に凹部６ａを形成したもので、背面基板２とは上記凹部６ａを構成する凸部６ｂで接している。また、この凸部６ｂに対応する反対側（前面基板側）に切込み６ｃを有し、この切り込み６ｃに間隙保持部材９の一端を設置する。この切り込み６ｃの内壁に上方に開くテーパを付与しておくことで、間隙保持部材９に上方から圧力がかかったときの、当該間隙保持部材９の一端の位置をテーパで矯正するようにすることが望ましい。また、本実施例における前面基板２に塗布する接着剤または緩衝固着材１０は、前記図１０のｙ方向でブラックマトリクス１５上に設ける。
【００５４】
そして、前面基板を貼り合わせ、両基板側から均一加圧して間隙保持部材９にかる圧力を均等化する。間隙保持部材９はその後の焼成工程で溶融固化するフリットガラスで背面基板１に固定される。なお、この焼成工程でウレタン樹脂は消失する。このようにして背面基板１と前面基板２の間に圧力に対して均等な応力がかかるように間隙保持部材９を設置することができる。
【００５５】
本実施例の他の構成および効果は前記実施例と同様である。本実施例によっても、背面基板１と前面基板２の間に板部材制御電極６を配置した表示装置に多数の間隙保持部材９を高精度で設置できる。また大気圧による応力が多数の間隙保持部材に対して均等にかかり、間隙保持部材や背面基板もしくは前面基板の破損が抑制されて高い信頼性をもつ表示装置を得ることができる。
【００５６】
「実施例４」
上記第３実施例では、緩衝固着材１０として組立て時に高い弾性を有し焼成工程で消失するウレタン樹脂等の発泡性樹脂からなる高弾性材に接着剤を混合したものを使用した。このような焼成工程で消失する発泡性樹脂に代えて、短時間の高温加熱では消失せず、補強材として残る耐熱性のアラミド系樹脂繊維等の弾性材に接着剤を混合した緩衝固着材を用いるのが本発明の第４実施例である。
【００５７】
耐熱性のアラミド系樹脂の繊維（商品名：ケブラー等）を弾性材として用いる場合は、間隙保持部材９と背面基板１および／または前面基板２との間にアラミド系樹脂繊維のシートを敷き、その周囲および上方に低融点のフリットガラス等の接着剤を塗布する。あるいは、この接着剤を滲み込ませたアラミド系樹脂繊維のシートを間隙保持部材９と背面基板１および／または前面基板２との間に介挿する。以降の加圧、熱処理は前記と同様である。熱処理後にアラミド系樹脂繊維は補強材として残留する。
【００５８】
本実施例によっても、背面基板１と前面基板２の間に板部材制御電極６を配置した表示装置に多数の間隙保持部材９を高精度で設置できる。また大気圧による応力が多数の間隙保持部材に対して均等にかかり、間隙保持部材や背面基板もしくは前面基板の破損が抑制されて高い信頼性をもつ表示装置を得ることができる。
【００５９】
また、上記した第２および第４実施例において耐熱性樹脂繊維を設置した後にフリットガラス等の接着剤を塗布するものに代えて、先にフリットガラス等の接着剤を塗布してから耐熱性樹脂繊維を設置してもよい。この場合はフリットガラス等の接着剤が軟化するまで加熱した後、加圧する。
【００６０】
さらに、上記の各実施例では、緩衝固着材１０を背面基板１側と前面基板２側に設けるものを主として説明したが、この緩衝固着材１０は両基板の一方の側のみに設けて、他方の側には接着剤のみを設ける構成としてもよい。
【００６１】
「実施例５」
陰極配線２の電子源から放出される電子がフォーカスされていないため、蛍光体を有する前面基板２側における緩衝固着層１０また接着層を完全な絶縁体で構成すると電子が緩衝固着層１０また接着層に帯電して残像やコントラスト低下の問題をもたらす。このような帯電の発生を回避するためには、緩衝固着層１０また接着層に１０１１乃至１０１２Ω・ｃｍ程度の比抵抗を持たせればよい。本実施例では、緩衝固着層１０また接着層に微量のＡＴＯなどの導電性粒子を混入した。また導電性物質に抵抗値をコントロールするフイラーを混入してもよい。
【００６２】
このような抵抗値をコントロールする物質として、陰極線管等の表面処理に用いられているシリカコート液を用いることができる。シリカコートでは、高温に加熱することでゾル−ゲル反応により脱アルコール化し、ポリシロキサン結合を形成し、その中に前記の導電性粒子を取り込んで安定した導電性を得ることができる。これにより、高圧が印加される前面基板２の帯電対策が実現できる。さらに、上記の緩衝固着層１０また接着層に遮光性を有する物質を混入することでブラックマトリクスＢＭの塗布工程で緩衝固着層１０また接着層を形成できる。
【００６３】
このとき、ブラックマトリクスＢＭの材料として、４００°乃至４５０°で軟化する材料を用い、遮光性を付与するために酸化クロム（Ｃｒ２　Ｏ３　）、酸化鉄（Ｆｅ２　Ｏ３　）等の酸化物を添加すればよい。これにより、緩衝固着層１０また接着層を設ける工程が削除でき、製造工程が削減され、コスト低下を図ることができる。
【００６４】
本実施例により、背面基板１と前面基板２の間に板部材制御電極６を配置した表示装置に多数の間隙保持部材９をさらに高精度で設置できる。また大気圧による応力が多数の間隙保持部材に対して均等にかかり、間隙保持部材や背面基板もしくは前面基板の破損が抑制されて高い信頼性をもつ表示装置を得ることができる。
【００６５】
【発明の効果】
以上説明したように、本発明の代表的な実施例によれば、平行する多数の帯状電極素子で構成した板部材制御電極を有する背面基板と蛍光体と陽極を有する前面基板の間に設置する間隙保持部材にかかる応力を略均一化でき、かつその組立てを正確に行うことができるので、当該間隙保持部材や背面基板、前面基板の破損を回避して高信頼性の表示装置を提供することができる。
【図面の簡単な説明】
【図１】電界放出型の表示装置の概略構成の模式的説明図である。
【図２】図１に示した表示装置を構成する背面板の構成例の模式的説明図である。
【図３】本発明による表示装置の第１実施例の説明図である。
【図４】図３（ｂ）のＣ部分の拡大図である。
【図５】間隙保持部材の組立て治具の模式的説明図である。
【図６】図５のＤ−Ｄ’線に沿った断面図である。
【図７】図５の組立て治具に有するスリットの形状例の模式的説明図である。
【図８】図７のスリットに間隙保持部材を所期位置合わせする状態を示す模式図である。
【図９】間隙保持部材を固定した背面基板の構成を説明する模式図である。
【図１０】本発明の第１実施例における前面基板の構成例の模式的説明図である。
【図１１】図１１は背面基板に前面基板を組み込んで一体化した表示装置の要部断面図である。
【図１２】図１１の矢印Ｈ部分の拡大図である。
【図１３】本発明による表示装置の第３実施例の説明図である。
【図１４】図１３に示した背面基板と間隙保持部材の植立構造の詳細説明図である。
【図１５】図１４の矢印Ｋで示した部分の拡大図である。
【符号の説明】
１　背面基板
２　前面基板
３　外枠
４　排気管
５　陰極配線
６　板部材制御電極
７　電極押さえ部材
８　排気孔
９　間隙保持部材
１０　緩衝固着層
１１　第１治具
１２　第２治具
１３　陽極
１４　蛍光体
１５　遮光層（ブラックマトリクス）。
【図１】
2004047143.tif 000003
【図２】
2004047143.tif 000004
【図３】
2004047143.tif 000005
【図４】
2004047143.tif 000006
【図５】
2004047143.tif 000007
【図６】
2004047143.tif 000008
【図７】
2004047143.tif 000009
【図８】
2004047143.tif 000010
【図９】
2004047143.tif 000011
【図１０】
2004047143.tif 000012
【図１１】
2004047143.tif 000013
【図１２】
2004047143.tif 000014
【図１３】
2004047143.tif 000015
【図１４】
2004047143.tif 000016
【図１５】
2004047143.tif 000017